(57)【要約】【課題】設置される場所によらず動物の体高、跳躍能力に応じて動物の侵入抑止効果を発揮させることが可能となり、コストを低減することが可能となる草食動物侵入抑止柵を提供する。【解決手段】草食動物８の侵入からの保護対象である保護地Ａと保護地の外側Ｂとを隔て草食動物８の保護地Ａへの侵入を抑止する草食動物侵入抑止柵１であって、保護地Ａと保護地の外側Ｂとを隔てるように間隔をあけて立設された複数の支柱部材２と、複数の支柱部材２、２間に架設されるとともに支柱部材２に保護地の外側Ｂから取り付けられる侵入抑止部材６と、を備え、支柱部材２は、立設される主柱部材３と、保護地Ａの外側に向けて傾斜させて主柱部材３に取り付けられるとともに主柱部材３に対する傾斜角度θが可変する返し部材４と、主柱部材３と返し部材４とに取り付けられるとともに返し部材４を所定の角度で固定する固定部材５とを有する。【選択図】図２
2019154311.tif 000002
【特許請求の範囲】
【請求項１】
草食動物の侵入からの保護対象地である保護地と前記保護地の外側とを隔て草食動物の前記保護地への侵入を抑止する草食動物侵入抑止柵であって、
前記保護地と前記保護地の外側とを隔てるように間隔をあけて立設された複数の支柱部材と、
複数の前記支柱部材間に架設されるとともに前記支柱部材に前記保護地の外側から取り付けられる侵入抑止部材と、を備え、
前記支柱部材は、立設される主柱部材と、前記保護地の外側に向けて傾斜させて前記主柱部材に取り付けられるとともに前記主柱部材に対する傾斜角度が可変する返し部材と、前記主柱部材と前記返し部材とに取り付けられるとともに前記返し部材を所定の角度で固定する固定部材とを有すること
を特徴とする草食動物侵入抑止柵。
【請求項２】
前記主柱部材は、前記返し部材を取り付ける第１軸部材を有し、
前記返し部材は、前記主柱部材を挟持する一対の挟持部を有し、一対の前記挟持部に前記第１軸部材が挿通されること
を特徴とする請求項１記載の草食動物侵入抑止柵。
【請求項３】
前記返し部材及び前記固定部材は、高さ調整可能に前記主柱部材に取り付けられること
を特徴とする請求項１又は２記載の草食動物侵入抑止柵。
【請求項４】
前記主柱部材は、地面に対して高さ調整可能に立設されること
を特徴とする請求項１〜３の何れか１項記載の草食動物侵入抑止柵。
【請求項５】
前記固定部材は、複数の孔が形成され、
前記主柱部材は、前記孔に係止される係止部を有すること
を特徴とする請求項１〜４の何れか１項記載の草食動物侵入抑止柵。
【請求項６】
前記固定部材は、下端部に複数の切欠溝が形成され、
前記主柱部材は、前記切欠溝に係止される係止部を有すること
を特徴とする請求項１〜４の何れか１項記載の草食動物侵入抑止柵。
【請求項７】
前記固定部材は、前記保護地側から前記保護地の外側に向けて延びる長孔が形成され、
前記主柱部材は、前記長孔に係止される係止部を有すること
を特徴とする請求項１〜４の何れか１項記載の草食動物侵入抑止柵。
【請求項８】
前記固定部材は、前記保護地側から前記保護地の外側に向けて延びる長孔と、前記長孔から上方に延びる複数の溝部が形成され、
前記主柱部材は、前記溝部に係止される係止部を有すること
を特徴とする請求項１〜４の何れか１項記載の草食動物侵入抑止柵。
【請求項９】
前記主柱部材は、前記保護地の外側が上り勾配である傾斜地に立設されること
を特徴とする請求項１〜８の何れか１項記載の草食動物侵入抑止柵。
【請求項１０】
前記主柱部材は、前記保護地の外側が下り勾配である傾斜地に立設されること
を特徴とする請求項１〜８の何れか１項記載の草食動物侵入抑止柵。
【請求項１１】
前記侵入抑止部材は、前記保護地の外側から前記主柱部材と前記返し部材とに沿って取り付けられること
を特徴とする請求項１〜１０の何れか１項記載の草食動物侵入抑止柵。
【請求項１２】
一の前記支柱部材における前記返し部材の傾斜角度は、隣接する他の前記支柱部材における前記返し部材の傾斜角度と異なること
を特徴とする請求項１〜１１の何れか１項記載の草食動物侵入抑止柵。
【発明の詳細な説明】
【技術分野】
【０００１】
本発明は、草食動物の侵入からの保護対象地である保護地と保護地の外側とを隔て草食動物の保護地への侵入を抑止する草食動物侵入抑止柵に関する。
【背景技術】
【０００２】
近年、鉄道、道路、農地、林地等が設けられる敷地（以下、「保護地」という）に野生動物が侵入し、車両と衝突する事故や、農作物や植林の食害等の問題が頻繁に発生している。こうした問題に対応するため、保護地の周囲に動物侵入抑止柵を設置することが行われている。従来の動物侵入抑止柵は、一般的に支柱と、支柱に設けられた金属製等の網を備えて構成されており、野生動物が保護地へ侵入するのを防止することができるとされている。
【０００３】
ところが、シカ等の野生動物は、比較的高い跳躍能力を有することから、従来の動物侵入抑止柵を設置したとしても、野生動物の跳躍により保護地へ侵入してしまう虞がある。このため、野生動物の侵入を防止することを目的として、支柱に対して傾斜させて配設される忍び返しを有する動物侵入抑止柵に関する特許文献１〜４の開示技術が提案されている。
【０００４】
特許文献１に開示される忍び返し付きフェンスは、地表に適宜間隔で立設された第１支柱とこの第１支柱間に架設された第１フェンスパネルと、この第１支柱上端に着脱自在に設けられた第２支柱と、この第２支柱間に架設された第２フェンスパネルとからなり、第２支柱の少なくとも上部が第１支柱に対して回動できるような回動部が設けられたことを特徴とする。
【０００５】
特許文献２に開示される打ち込み式支柱装置は、枝状突出片の基端部を、前記固定部に設けられた支持部に、該枝状突出片が上下回動可能となるように連結し、所定の回動状態で、該基端部と該支持突片とに挿通する固定ネジをナットに螺合して締め付ける。
【０００６】
特許文献３に開示される野生動物用防護柵は、柵本体の上辺には一体的に連接される返し柵が傾倒角度を変更調節できる柵本体を支えるための杭の先端部分の折り曲げ角度を調節し、杭の先端部分に返し柵を支持させることにより返し柵を柵本体に対して傾倒角度変更可能に連設する。
【０００７】
特許文献４に開示されるイノシシ用防獣ネットは、イノシシの侵入を防止すべく侵入防止区域を囲うイノシシ用防獣ネットにおいて、使用時において上下方向となる幅方向に、透視を不可能にする目合の密織り部と、透視を可能にする目合の粗織り部とを並べて設け、粗織り部には、外方に向けて傾斜する返し部を設ける。
【先行技術文献】
【特許文献】
【０００８】
【特許文献１】特開２００３−３０１６２９号公報
【特許文献２】特開２００８−２６３８２７号公報
【特許文献３】特開２００２−０７８４４１号公報
【特許文献４】特開２００８−１８７９５１号公報
【発明の概要】
【発明が解決しようとする課題】
【０００９】
ところで、動物侵入抑止柵は、動物の侵入抑止効果を発揮させるために、動物の体高や運動能力に応じて設置する必要があるが、設置される場所によっては地面が十分に整地されておらず、不陸等の勾配が変化する地面に設置される場合もある。
【００１０】
このような不陸のある地面に動物侵入抑止柵が設置される場合、動物の侵入抑止効果を発揮させるためには、設置される地面の形状等を測量し、測量情報に基づいて設計、製造された部材を用いる必要がある。しかしながら、測量や、場所に応じて異なる部材の設計、製造した場合には、その測量や、設計、製造に要するコストが増大してしまうという問題点があった。
【００１１】
さらに、例えばシカのような高い跳躍能力を有する四足歩行の野生動物は、忍び返しのような動物の顔に近づく方向に向けて延びる人工物を視認した場合には、その人工物を警戒する特性がある。一方、顔から遠ざかる方向に後退して延びる人工物を視認した場合には、その人工物を跳躍しようとする特性がある。即ち、勾配が変化する地面に動物侵入抑止柵が設置される場合に、仮に特許文献１〜４に開示される開示技術を適用したとしても、地面の形状に合わせて動物の体高、運動能力に応じた忍び返しを設置することができなければ、動物の侵入抑止効果を発揮させることはできない。
【００１２】
また、特許文献１〜４に開示される開示技術は、忍び返しが片持ちとなっているため、仮に枝葉や積雪による荷重や、跳躍し損ねた野生動物の接触による荷重が忍び返しに作用した場合、忍び返しが意図しない方向に変形、回動等してしまう。その結果、忍び返しによる跳躍抑制機能が失われ、動物の侵入抑止効果を発揮することができないという問題点があった。
【００１３】
そこで、本発明は、上述した問題点に鑑みて案出されたものであり、その目的とするところは、設置される場所によらず動物の体高、跳躍能力に応じて動物の侵入抑止効果を発揮させることが可能となり、コストを低減することが可能となる草食動物侵入抑止柵を提供することにある。
【課題を解決するための手段】
【００１４】
第１発明に係る草食動物侵入抑止柵は、草食動物の侵入からの保護対象地である保護地と前記保護地の外側とを隔て草食動物の前記保護地への侵入を抑止する草食動物侵入抑止柵であって、前記保護地と前記保護地の外側とを隔てるように間隔をあけて立設された複数の支柱部材と、複数の前記支柱部材間に架設されるとともに前記支柱部材に前記保護地の外側から取り付けられる侵入抑止部材と、を備え、前記支柱部材は、立設される主柱部材と、前記保護地の外側に向けて傾斜させて前記主柱部材に取り付けられるとともに前記主柱部材に対する傾斜角度が可変する返し部材と、前記主柱部材と前記返し部材とに取り付けられるとともに前記返し部材を所定の角度で固定する固定部材とを有することを特徴とする。
【００１５】
第２発明に係る草食動物侵入抑止柵は、第１発明において、前記主柱部材は、前記返し部材を取り付ける第１軸部材を有し、前記返し部材は、前記主柱部材を挟持する一対の挟持部を有し、一対の前記挟持部に前記第１軸部材が挿通されることを特徴とする。
【００１６】
第３発明に係る草食動物侵入抑止柵は、第１発明又は第２発明において、前記返し部材及び前記固定部材は、高さ調整可能に前記主柱部材に取り付けられることを特徴とする。
【００１７】
第４発明に係る草食動物侵入抑止柵は、第１発明〜第３発明の何れかにおいて、前記主柱部材は、地面に対して高さ調整可能に立設されることを特徴とする。
【００１８】
第５発明に係る草食動物侵入抑止柵は、第１発明〜第４発明の何れかにおいて、前記固定部材は、複数の孔が形成され、前記主柱部材は、前記孔に係止される係止部を有することを特徴とする。
【００１９】
第６発明に係る草食動物侵入抑止柵は、第１発明〜第４発明の何れかにおいて、前記固定部材は、下端部に複数の切欠溝が形成され、前記主柱部材は、前記切欠溝に係止される係止部を有することを特徴とする。
【００２０】
第７発明に係る草食動物侵入抑止柵は、第１発明〜第４発明の何れかにおいて、前記固定部材は、前記保護地側から前記保護地の外側に向けて延びる長孔が形成され、前記主柱部材は、前記長孔に係止される係止部を有することを特徴とする。
【００２１】
第８発明に係る草食動物侵入抑止柵は、第１発明〜第４発明の何れかにおいて、前記固定部材は、前記保護地側から前記保護地の外側に向けて延びる長孔と、前記長孔から上方に延びる複数の溝部が形成され、前記主柱部材は、前記溝部に係止される係止部を有することを特徴とする。
【００２２】
第９発明に係る草食動物侵入抑止柵は、第１発明〜第８発明の何れかにおいて、前記主柱部材は、前記保護地の外側が上り勾配である傾斜地に立設されることを特徴とする。
【００２３】
第１０発明に係る草食動物侵入抑止柵は、第１発明〜第８発明の何れかにおいて、前記主柱部材は、前記保護地の外側が下り勾配である傾斜地に立設されることを特徴とする。
【００２４】
第１１発明に係る草食動物侵入抑止柵は、第１発明〜第１０発明の何れかにおいて、前記侵入抑止部材は、前記保護地の外側から前記主柱部材と前記返し部材とに沿って取り付けられることを特徴とする。
【００２５】
第１２発明に係る草食動物侵入抑止柵は、第１発明〜第１１発明の何れかにおいて、一の前記支柱部材における前記返し部材の傾斜角度は、隣接する他の前記支柱部材における前記返し部材の傾斜角度と異なることを特徴とする。
【発明の効果】
【００２６】
第１発明〜第１２発明によれば、保護地の外側にいる草食動物にとってみれば、返し部材が草食動物の顔に近づく方向に向けて延びるものとなり、草食動物が返し部材を警戒する。このため、保護地の外側から保護地に跳躍するのを防止することができ、草食動物の侵入抑止効果を発揮させることが可能となる。
【００２７】
第１発明〜第１２発明によれば、傾斜角度が可変する返し部材を現場で調整して所定の角度に固定することができる。このため、第１発明〜第１１発明によれば、設置される地面によらずに、草食動物の体高や運動能力に応じて返し部材を最適な角度で設置することが可能となる。その結果、設置される場所によらずに、草食動物の体高、跳躍能力に応じて動物の侵入抑止効果を発揮させることが可能となる。
【００２８】
第１発明〜第１２発明によれば、傾斜角度が可変する返し部材を現場で調整して所定の角度に固定することができる。このため、第１発明〜第１２発明によれば、事前に測量する必要や測量情報に基づいて各部材を設計、製造する必要がない。このため、第１発明〜第１２発明によれば、測量や、設計、製造に伴うコストを低減することが可能となる。
【００２９】
第１発明〜第１２発明によれば、返し部材が主柱部材だけに取り付けられるのではなく、固定部材にも取り付けられるものとなる。即ち、返し部材が片持ちとならずに主柱部材と固定部材とに取り付けられる。このため、第１発明〜第１２発明によれば、枝葉や雪等による荷重や、草食動物が跳躍し損ねたことによる荷重が返し部材に作用したとしても、返し部材の変形を防止することが可能となる。その結果、返し部材が保護地の外側に向けて傾斜した状態が保持されるため、草食動物の侵入抑止効果を維持することが可能となる。
【００３０】
特に、第２発明によれば、主柱部材は、返し部材を取り付ける第１軸部材を有し、返し部材は、主柱部材を挟持する一対の挟持部を有し、一対の挟持部に第１軸部材が挿通される。これにより、第２発明によれば、返し部材の傾斜角度を可変動作を安定した状態で行うことが可能となる。また、仮に返し部材に荷重が作用したとしても一対の挟持部が主柱部材を挟持するため、返し部材の変形の防止をより効果的に発揮させることが可能となる。
【００３１】
特に、第３発明によれば、主柱部材は、地面に対して高さ調整可能に立設される。これにより、草食動物の体高や運動能力に応じて返し部材を最適な高さで設置することが可能となる。
【００３２】
特に、第４発明によれば、返し部材及び固定部材は、高さ調整可能に主柱部材に取り付けられる。これにより、草食動物の体高や運動能力に応じて返し部材を最適な高さで設置することが可能となる。
【００３３】
特に、第５発明によれば、固定部材は、複数の孔が形成され、主柱部材は、孔に係止される係止部を有する。これにより、係止部を主柱部材から取り外し、係止部に係止させた一の孔から他の孔に変えることで、返し部材の傾斜角度を可変することができる。このため、返し部材の傾斜角度を可変する作業を容易に行うことが可能となる。
【００３４】
特に、第６発明によれば、固定部材は、下端部に複数の切欠溝が形成され、主柱部材は、切欠溝に係止される係止部を有する。これにより、係止部を主柱部材から取り外すことなく、固定部材を持ち上げて、係止部に係止させた一の切欠溝から他の切欠溝に変えることで、返し部材の傾斜角度を可変することができる。このため、係止部を主柱部材から取り外すことなく、返し部材の傾斜角度を可変する作業を一層容易に行うことが可能となる。
【００３５】
特に、第７発明によれば、固定部材は、保護地側から保護地の外側に向けて延びる長孔が形成され、主柱部材は、長孔に係止される係止部を有する。これにより、係止部の係止を緩めて、長孔をスライドさせるように固定部材を移動させることで、返し部材の傾斜角度を可変することができる。このため、係止部を主柱部材から取り外すことなく、返し部材の傾斜角度を可変する作業を一層容易に行うことが可能となる。特に、長孔が形成されることにより、返し部材の傾斜角度の微調整を行うことが可能となる。
【００３６】
特に、第８発明によれば、固定部材は、保護地から保護地の外側に向けて延びる長孔と、長孔から上方に延びる複数の溝部が形成され、主柱部材は、溝部に係止される係止部を有する。これにより、一の溝部に係止させていた係止部の係止を緩めて、固定部材を持ち上げて、長孔をスライドさせるように固定部材を移動させて、他の溝部に係止部を係止させることで、返し部材の傾斜角度を可変することができる。このため、係止部を主柱部材から取り外すことなく、返し部材の傾斜角度を可変する作業を一層容易に行うことが可能となる。
【００３７】
特に、第９発明によれば、主柱部材は、保護地の外側が上り勾配である傾斜地に立設される。これにより、保護地の外側に向けて傾斜された返し部材が、草食動物の顔に一層近づく方向に向けて延びるものとなる。このため、草食動物が返し部材を一層警戒し、保護地の外側から保護地に跳躍するのを防止することができ、草食動物の侵入抑止効果を一層高めることが可能となる。
【００３８】
特に、第１０発明によれば、主柱部材は、保護地の外側が下り勾配である傾斜地に立設される。これにより、保護地の外側に向けて傾斜された返し部材が、地面に対してより垂直に近い角度で配置されるものとなる。このため、草食動物が保護地の外側から保護地に跳躍するのを防止することができ、草食動物の侵入抑止効果を一層高めることが可能となる。
【００３９】
特に、第１２発明によれば、一の支柱部材における返し部材の傾斜角度と、隣接する他の支柱部材における返し部材の傾斜角度とを異ならせる。これにより、第１２発明によれば、勾配が急激に変化するような地面に設置したとしても、草食動物の体高や運動能力に応じて返し部材の傾斜角度を最適な角度とすることが可能となる。
【図面の簡単な説明】
【００４０】
【図１】本発明を適用した草食動物侵入抑止柵を示す斜視図である。
【図２】本発明を適用した草食動物侵入抑止柵を示す側面図である。
【図３】本発明を適用した草食動物侵入抑止柵を一部拡大して示す側面図である。
【図４】図３のＤ−Ｄ断面図である。
【図５】支柱部材を一部拡大して示す斜視図である。
【図６】（ａ）は、一の孔に係止部を係止した形態を示す図であり、（ｂ）は、他の孔に係止部を係止した形態を示す図である
【図７】主柱部材に取り付けられる返し部材と固定部材とそれぞれの高さを図４とは異ならせた形態を示す。
【図８】固定部材の第１変形例を示す図である。
【図９】固定部材の第２変形例を示す図である。
【図１０】固定部材の第３変形例を示す図である。
【図１１】図１０の斜視図である。
【図１２】本発明を適用した草食動物侵入抑止柵において、一の支柱部材における返し部材の傾斜角度と、隣接する他の支柱部材における返し部材の傾斜角度とを異ならせた形態を示す斜視図である。
【図１３】本発明を適用した草食動物侵入抑止柵において、下り勾配の傾斜地に設置される形態を示す側面図である。
【発明を実施するための形態】
【００４１】
以下、本発明を適用した草食動物侵入抑止柵を実施するための形態について、図面を参照しながら詳細に説明する。
【００４２】
図１は、本発明を適用した草食動物侵入抑止柵１を示す斜視図である。図２は、本発明を適用した草食動物侵入抑止柵１の側面図である。
【００４３】
草食動物侵入抑止柵１は、草食動物８の侵入からの保護対象地である保護地Ａと保護地の外側Ｂとを隔て草食動物８の保護地Ａへの侵入を抑止するものである。保護地Ａは、例えば、鉄道、道路、農地、林地が設けられる人の産業活動が行われる敷地である。
【００４４】
草食動物８は、例えば、シカ科では、特にシカ属のニホンジカに分類される、エゾシカ、ホンシュウジカ、キュウシュウジカ、マゲシカ、ヤクシカ、ケラマジカ、ツシマジカ等が該当し、ホエジカ属に分類される、キョンも該当する。また、この草食動物８は、ウシ科では、特にカモシカ属に分類されるニホンカモシカ等やウシ属に分類される各種ウシ等が該当する。また、草食動物８は、ヒツジ、ウマ、ヤギ等であってもよい。
【００４５】
草食動物侵入抑止柵１は、保護地Ａと保護地の外側Ｂとを隔てるように間隔をあけて地面Ｇに立設された複数の支柱部材２と、複数の支柱部材２、２間に架設されるとともに支柱部材２に保護地の外側Ｂから取り付けられる侵入抑止部材６とを備える。地面Ｇは、保護地Ａから保護地の外側Ｂに向けて上り勾配となる傾斜地である。なお、地面Ｇは、水平方向に延びる平坦面であってもよいし、保護地Ａから保護地の外側Ｂに向けて下り勾配となる傾斜地でもよい。
【００４６】
支柱部材２は、地面Ｇに立設されて鉛直方向に延びる主柱部材３と、保護地の外側Ｂに向けて傾斜させて主柱部材３に取り付けられるとともに主柱部材３に対する傾斜角度θが可変する返し部材４と、主柱部材３と返し部材４とに取り付けられるとともに返し部材４を所定の角度で固定する固定部材５とを有する。
【００４７】
また、支柱部材２は、保護地の外側Ｂから侵入抑止部材６を取り付ける取付部２６を有する。取付部２６は、Ｕ字形状に形成されるが、Ｊ字状等に形成されてもよい。取付部２６は、主柱部材３と返し部材４とに所定の間隔を空けて複数取り付けられる。
【００４８】
主柱部材３は、例えば、鋼管が用いられ、地面Ｇから上端までの高さが約１．５ｍとなる。主柱部材３の長さは、草食動物８の体高に応じて種々の長さのものを用いることができる。また、主柱部材３は、地面Ｇに埋設されて固定される杭、基礎等の地中固定部３１にクランプ等の取付治具３２を介して取り付けられ、地面Ｇに対して高さ調整可能となる。なお、主柱部材３は、直接地面Ｇに埋設されて固定されてもよい。
【００４９】
図３は、本発明を適用した草食動物侵入抑止柵１を一部拡大して示す側面図である。図４は、図３のＤ−Ｄ断面図である。主柱部材３は、図４に示すように、互いに向かいあって配置される一対の挿通孔３３が、上下方向に複数形成される。本実施形態では、一対の挿通孔３３を、下から順に挿通孔３３ａ、挿通孔３３ｂ、挿通孔３３ｃとする。
【００５０】
主柱部材３は、返し部材４を取り付ける第１軸部材３４を有する。第１軸部材３４は、ボルト３４１が用いられ、ボルト３４１にはナット３４２が螺着される。主柱部材３は、一対の挿通孔３３ａ、３３ａに第１軸部材３４が挿通される。第１軸部材３４は、ボルト３４１の代替として、クリップ、リベット等が用いられてもよい。
【００５１】
主柱部材３は、固定部材５を取り付ける係止部３５を有する。係止部３５は、例えば、ボルト３５１が用いられ、ボルト３５１にはナット３５２が螺着される。主柱部材３は、一対の挿通孔３３ｂ、３３ｂに係止部３５が挿通される。係止部３５は、第１軸部材３４よりも上方側に配置される。係止部３５は、ボルト３５１の代替として、クリップ、リベット等が用いられてもよい。
【００５２】
返し部材４は、図３に示すように、保護地Ａから保護地の外側Ｂに向けて棒状に延びて形成され、例えば、上方側が開放された断面コの字形状の鋼材が用いられる。返し部材４は、上端部が保護地の外側Ｂに向けて配置されるように、主柱部材３に対して傾斜されている。即ち、返し部材４の傾斜角度θは、０°を超えて９０°未満となる。返し部材４は、例えば、草食動物８のホンシュウジカを対象とした場合、その下端の高さが草食動物８の肩高程度、つまり、地面Ｇから約１．０ｍ程度、に配置されるようにする。また、返し部材４は、図２に示すように、地面Ｇに対して略平行な角度に配置される。なお、返し部材４は、支柱に対して僅かに傾斜されて配置されてもよい。
【００５３】
図５は、支柱部材２を一部拡大して示す斜視図である。返し部材４は、図５に示すように、主柱部材３を挟持する一対の挟持部４１、４１を有する。返し部材４は、図３に示すように、挟持部４１に第１軸部材３４が挿通されて、主柱部材３に取り付けられる。返し部材４は、第１軸部材３４を中心として、主柱部材３に対する傾斜角度θが可変するものとなる。返し部材４は、第１軸部材３４を中心として回動するように主柱部材３に取り付けられてもよい。第１軸部材３４としてのボルト３４１にナット３４２が螺着されることで、一対の挟持部４１、４１が主柱部材３を強固に挟持するものとなる。
【００５４】
返し部材４は、固定部材５を取り付ける第２軸部材４２を有する。第２軸部材４２は、ボルト４２１が用いられ、ボルト４２１にはナット４２２が螺着される。第２軸部材４２は、ボルト４２１の代替として、クリップ、リベット等が用いられてもよい。
【００５５】
固定部材５は、図３及び図５に示すように、保護地Ａから保護地の外側Ｂに向けて棒状に延びて形成され、例えば、断面Ｌ字形状の鋼材が用いられる。
【００５６】
固定部材５は、保護地の外側Ｂの端部側に第２軸部材４２が挿通されて、返し部材４に取り付けられる。固定部材５は、第２軸部材４２を中心として、返し部材４に対して移動可能に取り付けられる。固定部材５は、第２軸部材４２を中心として回動するように返し部材４に取り付けられてもよい。
【００５７】
固定部材５は、主柱部材３に対する取り付け位置を調整する調整機構５０を有する。固定部材５は、保護地Ａ側の端部に複数の孔５１が形成される。即ち、調整機構５０は、複数の孔５１により構成される。複数の孔５１を、保護地の外側Ｂから保護地Ａ側に向けて孔５１ａ、５１ｂ、５１ｃとする。固定部材５は、３つの孔５１ａ、５１ｂ、５１ｃのうちの何れか１つに、主柱部材３の係止部３５が係止される。図３に示すように、孔５１ｂに係止部３５を係止することにより、返し部材４が所定の角度で固定部材５により固定される。
【００５８】
図６（ａ）は、孔５１ａに係止部３５を係止した形態を示す図であり、図６（ｂ）は、孔５１ｃに係止部３５を係止した形態を示す図である。
【００５９】
図６（ａ）に示すように、孔５１ａに係止部３５を係止することにより、主柱部材３に対する返し部材４の傾斜角度θ’となり、この傾斜角度θ’は、孔５１ｂに係止部３５を係止した場合の角度よりも小さくなる。このとき、固定部材５は、返し部材４側の端部が上向きになるように、水平に対して僅かに傾斜されてもよい。また、図６（ｂ）に示すように、孔５１ｃに係止部３５を係止することにより、主柱部材３に対する返し部材４の傾斜角度θ”となり、この傾斜角度θ”は、孔５１ｂに係止部３５を係止した場合の角度よりも大きくなる。このとき、固定部材５は、返し部材４側の端部が下向きになるように、水平に対して僅かに傾斜されてもよい。
【００６０】
このように、固定部材５は、３つの孔５１ａ、５１ｂ、５１ｃのうちの何れか１つに、主柱部材３の係止部３５が係止されることで、可変する返し部材４の傾斜角度θを、所定の角度に固定することができる。なお、本実施形態においては、固定部材は、２以上の孔が形成されれば、可変する返し部材の傾斜角度が、固定部材により所定の角度で固定することができる。
【００６１】
侵入抑止部材６は、図２に示すように、保護地の外側Ｂから支柱部材２に取り付けられる。侵入抑止部材６は、支柱部材２、２に架設される複数のワイヤ６１と、ワイヤ６１に固定される面材６２とを有する。
【００６２】
面材６２は、例えば、保護地の外側Ｂから保護地Ａを視認できる金網、樹脂網や、保護地の外側Ｂから保護地Ａを視認できない不織布が用いられる。面材６２は、取付部２６に挿通されるワイヤ６１に取り付けられることで、主柱部材３と返し部材４とに沿って取り付けられる。面材６２は、面外方向に変形自在なものが用いられてもよい。
【００６３】
なお、主柱部材３において最も下方に配置される取付部２６に挿通されるワイヤ６１は、地面Ｇからの離間距離が草食動物８の頭の大きさ以下とされていることが好ましい。これにより、草食動物８が当該ワイヤ６１と地面Ｇとの間をくぐるのを防止することができる。例えば、草食動物８のホンシュウジカを対象とした場合、草食動物８の頭の大きさはが０．２ｍ程度となることから、地面Ｇからの離間距離は、０．２ｍ程度以下であることが好ましい。
【００６４】
また、主柱部材３において最も上方に配置される取付部２６に挿通されるワイヤ６１は、地面Ｇからの離間距離が草食動物８の肩高以上とされていることが好ましい。これにより、草食動物８が当該ワイヤ６１を跨いで侵入するのを防止することができる。
【００６５】
面材６２は、地面Ｇに沿って保護地の外側Ｂに向けて延びる延展部６３を有する。延展部６３は、保護地の外側Ｂの端部がペグ等の固定治具６４により地面Ｇに固定される。延展部６３が地面Ｇに固定されることで、草食動物８が延展部６３に潜り込むのを防止することができる。また、延展部６３の保護地Ａから保護地の外側Ｂに向かう長さが０．６ｍ程度となる。この長さを草食動物８の鼻先から後頭部までの長さ以上にしておくことで、仮に草食動物８が延展部６３に潜り込んだとしても、潜り込んだ先を草食動物８が見通すことができない。このため、延展部６３の保護地Ａから保護地の外側Ｂに向かう長さを、例えば、草食動物８のホンシュウジカを対象とした場合、草食動物８の鼻先から後頭部までの長さである０．３ｍ以上にしておくことが好ましい。
【００６６】
次に、本発明を適用した草食動物侵入抑止柵１の作用効果について説明する。
【００６７】
本発明を適用した草食動物侵入抑止柵１によれば、支柱部材２は、立設される主柱部材３と、保護地の外側Ｂに向けて傾斜させて主柱部材３に取り付けられるとともに主柱部材３に対する傾斜角度が可変する返し部材４と、主柱部材３と返し部材４とに取り付けられるとともに返し部材４を所定の傾斜角度で固定する固定部材５とを有する。
【００６８】
これにより、本発明を適用した草食動物侵入抑止柵１によれば、保護地の外側Ｂにいる草食動物８にとってみれば、返し部材４が草食動物８の顔に近づく方向に向けて延びるものとなり、草食動物８が返し部材４を警戒する。このため、保護地の外側Ｂから保護地Ａに跳躍するのを防止することができ、草食動物８の侵入抑止効果を発揮させることが可能となる。
【００６９】
また、本発明を適用した草食動物侵入抑止柵１によれば、返し部材４が保護地の外側Ｂに向けて傾斜されて主柱部材３に取り付けられ、侵入抑止部材６が保護地の外側Ｂから支柱部材２に取り付けられる。これにより、予め保護地Ａにいる草食動物８にとってみれば、返し部材４が視認され、この返し部材４が草食動物８の顔から遠ざかる方向に向けて延びるものとなり、草食動物８が返し部材４を跳躍しようとする特性を発揮させることができる。このため、予め保護地Ａにいる草食動物８を保護地の外側Ｂに積極的に跳躍させて、保護地の外側Ｂに逃がすことも可能となる。
【００７０】
本発明を適用した草食動物侵入抑止柵１によれば、傾斜角度θが可変する返し部材４を現場で調整して所定の角度に固定することができる。このため、本発明を適用した草食動物侵入抑止柵１によれば、設置される地面Ｇの形状によらずに、草食動物８の体高や運動能力に応じて返し部材４を最適な角度で設置することが可能となる。その結果、設置される場所によらずに、草食動物８の体高、跳躍能力に応じて動物の侵入抑止効果を発揮させることが可能となる。
【００７１】
また、本発明を適用した草食動物侵入抑止柵１によれば、傾斜角度θが可変する返し部材４を現場で調整して所定の角度に固定することができる。このため、本発明を適用した草食動物侵入抑止柵１によれば、事前に測量する必要や測量情報に基づいて各部材を設計、製造する必要がない。その結果、本発明を適用した草食動物侵入抑止柵１によれば、測量や、設計、製造に伴うコストを低減することが可能となる。
【００７２】
本発明を適用した草食動物侵入抑止柵１によれば、返し部材４が主柱部材３だけに取り付けられるのではなく、固定部材５にも取り付けられるものとなる。即ち、返し部材４が片持ちとならずに主柱部材３と固定部材５とに取り付けられる。このため、本発明を適用した草食動物侵入抑止柵１によれば、枝葉や雪等による荷重や、草食動物８が跳躍し損ねたことによる荷重が返し部材４に作用したとしても、返し部材４の変形を防止することが可能となる。その結果、返し部材４が保護地の外側Ｂに向けて傾斜した状態が保持されるため、草食動物８の侵入抑止効果を維持することが可能となる。
【００７３】
本発明を適用した草食動物侵入抑止柵１によれば、主柱部材３は、返し部材４を取り付ける第１軸部材３４を有し、返し部材４は、主柱部材３を挟持する一対の挟持部４１、４１を有し、一対の挟持部４１、４１に第１軸部材３４が挿通される。これにより、本発明を適用した草食動物侵入抑止柵１によれば、返し部材４の傾斜角度θを可変動作を安定した状態で行うことが可能となる。また、仮に返し部材４に荷重が作用したとしても一対の挟持部４１、４１が主柱部材３を挟持するため、返し部材４の変形の防止をより効果的に発揮させることが可能となる。
【００７４】
本発明を適用した草食動物侵入抑止柵１によれば、主柱部材３は、地面Ｇに対して高さ調整可能に立設される。これにより、草食動物８の体高や運動能力に応じて返し部材４を最適な高さで設置することが可能となる。
【００７５】
本発明を適用した草食動物侵入抑止柵１によれば、固定部材５は、複数の孔５１が形成され、主柱部材３は、孔５１に係止される係止部３５を有する。これにより、係止部３５を主柱部材３から取り外し、係止部３５に係止させた一の孔５１から他の孔５１に変えることで、返し部材４の傾斜角度θを可変することができる。このため、返し部材４の傾斜角度θを可変する作業を容易に行うことが可能となる。
【００７６】
本発明を適用した草食動物侵入抑止柵１によれば、主柱部材３は、保護地の外側Ｂが上り勾配である傾斜地に立設される。これにより、保護地の外側Ｂに向けて傾斜された返し部材４が、草食動物８の顔に一層近づく方向に向けて延びるものとなる。このため、草食動物８が返し部材４を一層警戒し、保護地の外側Ｂから保護地Ａに跳躍するのを防止することができ、草食動物８の侵入抑止効果を一層高めることが可能となる。
【００７７】
図７は、主柱部材３に取り付けられる返し部材４と固定部材５とそれぞれの高さを図４とは異ならせた形態を示す。図４においては、主柱部材３は、一対の挿通孔３３ａ、３３ａに第１軸部材３４が挿通され、一対の挿通孔３３ｂ、３３ｂに係止部３５が挿通される形態を示したが、図７に示すように、主柱部材３は、一対の挿通孔３３ｂ、３３ｂに第１軸部材３４が挿通され、一対の挿通孔３３ｃ、３３ｃに係止部３５が挿通されてもよい。これにより、返し部材４及び固定部材５は、高さ調整可能に主柱部材３に取り付けられることとなる。
【００７８】
本発明を適用した草食動物侵入抑止柵１によれば、返し部材４及び固定部材５は、高さ調整可能に主柱部材３に取り付けられる。これにより、草食動物８の体高や運動能力に応じて返し部材４を最適な高さで設置することが可能となる。
【００７９】
図８は、固定部材５の第１変形例を示す図である。固定部材５は、下端部に複数（図示では３つ）の切欠溝５２が形成される。即ち、固定部材５は、調整機構５０を有し、調整機構５０は、複数の切欠溝５２により構成される。固定部材５は、３つの切欠溝５２のうちの何れか１つに、主柱部材３の係止部３５が係止される。図８に示すように、切欠溝５２に係止部３５を係止することにより、主柱部材３に対する返し部材４の傾斜角度θが固定部材５により固定される。
【００８０】
本発明を適用した草食動物侵入抑止柵１によれば、固定部材５は、下端部に複数の切欠溝５２が形成され、主柱部材３は、切欠溝５２に係止される係止部３５を有する。これにより、係止部３５を主柱部材３から取り外すことなく、固定部材５を持ち上げて、係止部３５に係止させた一の切欠溝５２から他の切欠溝５２に変えることで、返し部材４の傾斜角度θを可変することができる。このため、係止部３５を主柱部材３から取り外すことなく、返し部材４の傾斜角度θを可変する作業を一層容易に行うことが可能となる。
【００８１】
図９は、固定部材５の第２変形例を示す図である。固定部材５は、保護地Ａ側から保護地の外側Ｂに向けて延びる長孔５３が形成される。即ち、固定部材５は、調整機構５０を有し、調整機構５０は、長孔５３により構成される。固定部材５は、長孔５３に、主柱部材３の係止部３５が係止される。図９に示すように、長孔５３に係止部３５を係止することにより、主柱部材３に対する返し部材４の傾斜角度θが固定部材５により固定される。
【００８２】
本発明を適用した草食動物侵入抑止柵１によれば、固定部材５は、保護地Ａ側から保護地の外側Ｂに向けて延びる長孔５３が形成され、主柱部材３は、長孔５３に係止される係止部３５を有する。これにより、係止部３５の係止を緩めて、長孔５３をスライドさせるように固定部材５を移動させることで、返し部材４の傾斜角度θを可変することができる。このため、係止部３５を主柱部材３から取り外すことなく、返し部材４の傾斜角度θを可変する作業を一層容易に行うことが可能となる。特に、長孔５３が形成されることにより、返し部材４の傾斜角度θの微調整を行うことが可能となる。
【００８３】
図１０は、固定部材５の第３変形例を示す図である。固定部材５は、保護地Ａから保護地の外側Ｂに向けて延びる長孔５４と、長孔５４から上方に延びる複数（図示では３つ）の溝部５５が形成される。即ち、固定部材５は、調整機構５０を有し、調整機構５０は、長孔５４と、複数の溝部５５とにより構成される。固定部材５は、３つの溝部５５のうちの何れか１つに、主柱部材３の係止部３５が係止される。図１０に示すように、溝部５５に係止部３５を係止することにより、主柱部材３に対する返し部材４の傾斜角度θが固定部材５により固定される。
【００８４】
本発明を適用した草食動物侵入抑止柵１によれば、固定部材５は、保護地Ａから保護地の外側Ｂに向けて延びる長孔５４と、長孔５４から上方に延びる複数の溝部５５が形成され、主柱部材３は、溝部５５に係止される係止部３５を有する。これにより、一の溝部５５に係止させていた係止部３５の係止を緩めて、固定部材５を持ち上げて、長孔５４をスライドさせるように固定部材５を移動させて、他の溝部５５に係止部３５を係止させることで、返し部材４の傾斜角度θを可変することができる。このため、係止部３５を主柱部材３から取り外すことなく、返し部材４の傾斜角度θを可変する作業を一層容易に行うことが可能となる。
【００８５】
図１１は、図１０の斜視図である。固定部材５は、主柱部材３を挟んで両側に配置される一対の側片部５９、５９と、一対の側片部５９、５９を連結する連結部５８とを有する。一対の側片部５９は、それぞれ調整機構５０を有する。この調整機構５０は、長孔５４と、複数の溝部５５とにより構成されるが、上述した複数の孔５１、複数の切欠溝５２、長孔５３に代替することもできる。一対の側片部５９、５９は、主柱部材３を挟持するものとなる。
【００８６】
本発明を適用した草食動物侵入抑止柵１によれば、一対の側片部５９、５９により主柱部材３が挟持される。これにより、固定部材５の剛性を高めることができ、返し部材４に荷重が作用したとしても返し部材４の変形をより防止することが可能となる。
【００８７】
また、本発明を適用した草食動物侵入抑止柵１によれば、一対の側片部５９、５９が連結部５８により連結されることで、固定部材５の剛性を一層高めることができ、返し部材４に荷重が作用したとしても返し部材４の変形を一層防止することが可能となる。また、連結部５８を有することにより、係止部３５を主柱部材３から取り外すことなく、一対の側片部５９を独立して移動させることなく同時に移動させることができるため、返し部材４の傾斜角度θを可変する作業をより容易に行うことが可能となる。
【００８８】
図１２は、本発明を適用した草食動物侵入抑止柵１において、一の支柱部材２における返し部材４の傾斜角度θ１と、隣接する他の支柱部材２における返し部材４の傾斜角度θ２とを異ならせた形態を示す斜視図である。
【００８９】
図１２に示すように、本発明を適用した草食動物侵入抑止柵１は、一の支柱部材２における返し部材４の傾斜角度θ１と、隣接する他の支柱部材２における返し部材４の傾斜角度θ２とを異ならせていてもよい。これにより、本発明を適用した草食動物侵入抑止柵１によれば、勾配が急激に変化するような地面Ｇに設置したとしても、草食動物８の体高や運動能力に応じて返し部材４の傾斜角度θを最適な角度とすることが可能となる。
【００９０】
また、本発明を適用した草食動物侵入抑止柵１は、一の支柱部材２における返し部材４と、隣接する他の支柱部材２における返し部材４とを、それぞれ地面Ｇに対して略平行となるように、一の返し部材４の傾斜角度θ１と、他の返し部材４の傾斜角度θ２とを異ならせてもよい。これにより、場所によって変化する地面Ｇの勾配に応じて、草食動物９が返し部材４を警戒する効果を高めることができ、草食動物８の侵入抑止効果を著しく高めることが可能となる。
【００９１】
図１３に示すように、本発明を適用した草食動物侵入抑止柵１は、主柱部材３が保護地Ａから保護地の外側Ｂに向けて下り勾配となる傾斜地（地面Ｇ）に設置されていてもよい。これにより、保護地の外側Ｂに向けて傾斜された返し部材４が、地面Ｇに対してより垂直に近い角度で配置されるものとなる。このため、草食動物８が保護地の外側Ｂから保護地Ａに跳躍するのを防止することができ、草食動物８の侵入抑止効果を一層高めることが可能となる。
【００９２】
また、本発明を適用した草食動物侵入抑止柵１は、主柱部材３が保護地Ａから保護地の外側Ｂに向けて下り勾配となる傾斜地（地面Ｇ）に設置される場合、返し部材４が地面Ｇに対して略垂直に配置されていてもよい。これにより、草食動物８が保護地の外側Ｂから保護地Ａに跳躍するのを防止することができ、草食動物８の侵入抑止効果を更に高めることが可能となる。
【００９３】
また、本発明を適用した草食動物侵入抑止柵１は、主柱部材３が保護地Ａから保護地の外側Ｂに向けて下り勾配となる傾斜地に設置される場合、一の支柱部材２における返し部材４と、隣接する他の支柱部材２における返し部材４とを、それぞれ地面Ｇに対して略垂直となるように、一の返し部材４の傾斜角度θ１と、他の返し部材４の傾斜角度θ２とを異ならせてもよい。これにより、場所によって変化する地面Ｇの勾配に応じて、それぞれの返し部材４が地面Ｇに対して略垂直に配置されるものとなる。このため、草食動物８が保護地の外側Ｂから保護地Ａに跳躍するのを防止することができ、草食動物８の侵入抑止効果を著しく高めることが可能となる。
【００９４】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００９５】
１      ：草食動物侵入抑止柵
２      ：支柱部材
２６    ：取付部
３      ：主柱部材
３１    ：地中固定部
３２    ：取付治具
３３    ：挿通孔
３４    ：第１軸部材
３５    ：係止部
４      ：返し部材
４１    ：挟持部
４２    ：第２軸部材
５      ：固定部材
５０    ：調整機構
５１    ：孔
５２    ：切欠溝
５３    ：長孔
５４    ：長孔
５５    ：溝部
５８    ：連結部
５９    ：側片部
６      ：侵入抑止部材
６１    ：ワイヤ
６２    ：面材
６３    ：延展部
６４    ：固定治具
８      ：草食動物
Ａ      ：保護地
Ｂ      ：保護地の外側
Ｇ      ：地面
θ      ：傾斜角度
θ'    ：傾斜角度
θ”    ：傾斜角度
θ１    ：傾斜角度
θ２    ：傾斜角度
【図１】
2019154311.tif 000003
【図２】
2019154311.tif 000004
【図３】
2019154311.tif 000005
【図４】
2019154311.tif 000006
【図５】
2019154311.tif 000007
【図６】
2019154311.tif 000008
【図７】
2019154311.tif 000009
【図８】
2019154311.tif 000010
【図９】
2019154311.tif 000011
【図１０】
2019154311.tif 000012
【図１１】
2019154311.tif 000013
【図１２】
2019154311.tif 000014
【図１３】
2019154311.tif 000015